(57)【要約】      （修正有） 【課題】重量のあるカットスイカを袋に入れて取っ手で手持ちしても袋が型崩れせずに袋の変形に伴うカットスイカの損傷を防止できるスイカ袋を提供する。【解決手段】表裏２枚の透明フィルム或いはシート地からなる袋体の側辺をシール部１ａにより融着し、該袋体を三つ又状に突出部１１、２１、３１を形成して内部空洞を有して連通し、三つ又状の一の突出部１１の先端方向に取っ手部５を、他の一の突出部２１の先端には接着部材を有する開口部を、更に他の一の突出部３１の先端は封鎖されているものである。この取っ手部を有する突出部を胴部とし他の二方向の突出部を有し、カットスイカを突出部の開口から該袋体内に収納して、カットスイカの稜線部を取っ手方向にむけ又底部方向の突出部の底面部上にスイカの皮を位置して収納し、開口を有する突出部を折り込み又は丸め込んで接着部材により接着して開口部を封鎖するスイカ用袋である。【選択図】図１
0003197785.tif 000002
【実用新案登録請求の範囲】
【請求項１】
表裏２枚の透明または半透明のフィルム或いはシート地からなる袋体の側辺をシール部１ａ、２ａ、３ａにより融着して袋体を形成し、
該袋体を三つ又状に突出部１１、２１、３１を形成して構成し、該突出部はそれぞれ内部空洞を有すると共に連通しており、
三つ又状の一の突出部１１の先端方向には取っ手部５を有し、他の一の突出部２１の先端には開口部２２を有し、
更に他の一の突出部３１の先端は封鎖されているものであって、
取っ手部５を有する突出部１１を胴部として、この胴部から３つ又の他の二方向の底部方向に突出形成した突出部２１、３１を有するものであり、
開口部２２を有する突出部２１にはその開口部２２方向に接着部材２５を有し、
カットスイカを突出部２１の開口２２から該袋体内に収納して、カットスイカの稜線部を取っ手部５方向にむけて袋内に収納すると共に、二方向の底部の突出部２１、３１の底面部上にスイカの皮を位置して収納し、開口部２２を有する突出部２１を折り込み又は丸め込んで開口部２２を接着部材２５により接着して開口部２２を封鎖してカットスイカを収納するスイカ用袋であり、
三つ又状の一の突出部１１の取っ手部５の周囲の表裏二枚からなるフィルム或いはシート地を融着した突出部１１を有することを特徴とするスイカ袋。
【請求項２】
三つ又状の一の突出部１１の取っ手部５の周囲の表裏二枚からなるフィルム或いはシート地の融着が、少なくとも袋体の取っ手部５の両側辺を融着した突出部１１であることを特徴とする請求項１記載のスイカ袋。
【請求項３】
三つ又状の一の突出部１１の取っ手部５の周囲の表裏二枚からなるフィルム或いはシート地の融着が、少なくとも袋体の取っ手部５を有する突出部１１の端辺部を融着した突出部１１であることを特徴とする請求項１又は２のいずれかに記載のスイカ袋。
【請求項４】
三つ又状の一の突出部１１の取っ手部５の周囲の表裏二枚からなるフィルム或いはシート地の融着が、少なくとも袋体の取っ手部５の孔の周囲の融着である突出部１１であることを特徴とする請求項１乃至３のいずれかに記載のスイカ袋。
【請求項５】
融着に代えて接着部材により接着した突出部１１であることを特徴とする請求項１乃至４のいずれかに記載のスイカ袋。
【考案の詳細な説明】
【技術分野】
【０００１】
本考案は、カットしたスイカを入れるための袋であるスイカ袋に関する。
【背景技術】
【０００２】
現在生鮮品等例えばスイカの販売に際しては販売店でカットしたスイカを販売することはよく行われている。
この場合スイカ等においては球体であり、少人数で食することを考慮して球体のスイカを４分の１、６分の１、８分の１或いは１０分の１等のカットスイカとして販売することが行われている。
これは大きなスイカはその保管が大変であるのと共に一つの量が多く、一度には食べきれないことから、一度に食べやすいようにカットスイカとしてカットした上で販売する販売店は今では多く見られる。
【０００３】
このカットスイカは、球体のスイカをその中心線に沿って直径方向に切り込むことにより半分に輪切りにし、更に皮の外側から該スイカの直径方向にむけて更にカットするものであり、果肉からなる稜線を有する半円形の果肉部と、その稜線の両側から底部にかけて湾曲した皮部を有する稜線をその頂点とする略Ｖ字状で底部方向に皮を有する横面視、略半月状のカットスイカとして切り分けられ、このカットスイカを店頭にて、このカットの状態で販売しているものである。
従って、このカットされた稜線部分から皮方向にむけて果肉が露出した状態で店頭において販売等することはスイカの果肉を視認できることから購入者にとってはスイカの選別や購買意欲を掻き立てる点では極めて有効ではある。
【０００４】
しかし、その反面果肉の乾燥等が起きやすいばかりでなく、指等を触れやすくなってしまい、衛生面で適切ではないばかりでなく、果肉部分は極めて脆いものであり、手や物が当たるとすぐに傷がついてしまい、商品価値を大きく損なうものとなる。
従って、この様な果肉が露出していることを避けるために透明なフィルム等を用いて該カットスイカの外周全面に貼り付けて覆い、その状態で販売しているものもある。
しかし、この透明フィルムで一つずつ覆うことは非常に手間がかかるものであり、更には購入後食前にこのフィルムを剥がそうとしてもはがれにくいばかりでなく、果肉を傷つけてしまう場合も多かった。
【０００５】
そこで特開２００２−３７３７０号（特許文献１）に示すカットスイカ用包装袋がある。
これは、カットスイカをそのまま横方向から入れられる透明な基材を用いた包装袋であり、透明な基材からなる袋を用いていることにより袋に入れたまま視認することができると共にカットスイカが収納できる横幅をとって熱切断により形成する角型袋であって収納するカットスイカの稜線に合わせるように袋体の一側辺を直線のまま残している。
更にカットスイカの外皮の半円の円弧状の状態に沿わせるための外皮のカーブに沿うように隅角部を熱切断によって円弧に形成している。
従って、カットスイカを横方向から挿入できると共にカットスイカに密着したカットスイカの形状の包装袋の提供を可能とするものである。
【０００６】
更に特開２０１１−３７４８７号（特許文献２）に示すカットスイカの包装袋も存在する。
これは、前記の形態の横方向から挿入するカットスイカ用袋のカットスイカの稜線に袋の一側辺を沿わせることに伴い、カットスイカの稜線部分を含む果肉部分が袋に密着することから、稜線の先端部が尖った部分が袋体自体や溶着部分を裂いてしまうことやピンホールを造ってしまうこと等から、この挿入するカットスイカの稜線部分の該先端部の尖った部分に位置する部分Ｌ字状コーナー部の内側にカットスイカの稜線の一端部を収納するようになっており、更に直線状に突出してなる突出部を有し、この突出部が先端部を湾曲形状としているカットスイカの包装袋からなる。
【０００７】
従って、この突出部分により稜線部分のとがった部分を収納して包装袋への該部分の負担の軽減を図っているものである。
更に実登３１７８７５８号（特許文献３）及び特開２０１４−１９４９９号（特許文献４）に示すカットスイカ用の包装袋も存在する。
【先行技術文献】
【特許文献】
【０００８】
【特許文献１】特開２００２−３７３７０
【特許文献２】特開２０１１−３７４８７
【特許文献３】実登３１７８７５８
【特許文献４】特開２０１４−１９４９９
【考案の概要】
【考案が解決しようとする課題】
【０００９】
以上の様に、現在スイカをカットしたカットスイカを店頭で展示し、更に販売するためカットスイカを予め透明な袋に入れて展示販売するために前記した各種のカットスイカの包装用袋が用いられているものである。
しかし、まず特許文献１に示す袋も有用ではあり、角隅部がカットスイカの外皮のカーブに沿い、この部分にきっちりと挿入したカットスイカがはまり、きっちりと収まり、カットスイカの稜線方向の一側辺ともきっちりと接することとなって、カットスイカの稜線から底の皮方向までカットスイカの少なくとも果肉部分の表面にきれいに袋が密着する。
【００１０】
しかし、このことは逆に横方向から収納する収納するカットスイカの稜線部周囲等の果肉部分が袋にこすられた状態で封入するものとなる。  又、果肉部に指等で圧をかけやすいものである。
従って、この部分での果肉への損傷が避けられないものとなる。
更に、カットスイカを横から袋に入れた場合にカットスイカの稜線の両端の先端部が尖った部分によって袋体自体の裂けやピンホールを造ってしまう等の弊害を有する
又特許文献２によっても前記同様カットスイカの封入時には果肉部がこすれるものであり、カットスイカの果肉部に指等で圧をかけやすいものである点は変わらない。
更に特許文献３及び特許文献４に関しても特許文献１と同様の課題を有する。
特にカットスイカを包装することのできる袋であり、カットスイカの果肉部分を覆うことができる袋であって、袋に封入するに際して果肉部に負担をかけず、傷等を付けない袋が望まれると共にこの収納した状態のカットスイカを簡単に持ち運びができると共に不用意に果肉等に触れない袋の提供が望まれるものである。
【課題を解決するための手段】
【００１１】
係る前記課題を解決するため、請求項１に係る考案は、表裏２枚の透明または半透明のフィルム或いはシート地からなる袋体の側辺をシール部により融着して袋体を形成し、該袋体を三つ又状に突出部を形成して構成し、該突出部はそれぞれ内部空洞を有すると共に連通しており、三つ又状の一の突出部の先端方向には取っ手部を有し、他の一の突出部の先端には開口部を有し、更に他の一の突出部の先端は封鎖されており、取っ手部を有する突出部を胴部として、この胴部から３つ又の他の二方向の底部方向に突出形成した突出部を有するものであり、開口部を有する突出部にはその開口部方向に接着部材を有し、カットスイカを突出部の開口から該袋体内に収納して、カットスイカの稜線部を取っ手方向にむけて袋内に収納し二方向の底部の突出部の底面部上にスイカの皮を位置して収納し、開口を有する突出部を折り込み又は丸め込んで開口部を接着部材により接着して開口部を封鎖してカットスイカを収納するスイカ用袋であり、三つ又状の一の突出部の取っ手部の周囲の表裏二枚からなるフィルム或いはシート地を融着した突出部を有するスイカ袋からなる。
【００１２】
或いは、請求項２に係る考案は、三つ又状の一の突出部の取っ手部の周囲の表裏二枚からなるフィルム或いはシート地の融着が、少なくとも袋体の取っ手部の両側辺を融着した突出部を有するスイカ袋であり、係る考案を用いてもよい。
更に、請求項３に係る考案は、三つ又状の一の突出部の取っ手部の周囲の表裏二枚からなるフィルム或いはシート地の融着が、少なくとも袋体の取っ手部を有する突出部の端辺部を融着した突出部を有するスイカ袋であり、係る考案を用いてもよい。
【００１３】
又、請求項４に係る考案のように三つ又状の一の突出部の取っ手部の周囲の表裏二枚からなるフィルム或いはシート地の融着が、少なくとも袋体の取っ手部の孔の周囲を融着した突出部を有するスイカ袋を用いてもよい。
或いは、請求項５に係る考案のように融着に代えて接着部材により接着した突出部を有するスイカ袋を用いてもよい。
【考案の効果】
【００１４】
請求項１に係る考案により、カットスイカを簡単にかつ傷つけることなく収納できる袋体の提供を可能とするものであり、特にカットスイカを手持ち可能な袋体に収納することができるものである。
これにより袋体内に入れたまま展示し販売ができるものであり、衛生的でかつ安全にカットスイカの販売を可能とする。
【００１５】
特に、取っ手部回りのフィルム又はシート地を融着することにより、この取っ手部回りを強化することとなり、最も力の係る取っ手部の形状の崩れを防止できることから袋体が歪まず、袋体内に入れてあるカットスイカの形状を維持したまま袋体内に入れて持ち運びできるものとなる。
従って果肉部分に傷等が着くことがなく、きれいな状態を維持できるものである。
更にはカットスイカの稜線部分の該先端部の尖った部分等に力が加わってしまう等のことを防止でき、袋体の破損や破れ等を防止できる。
【００１６】
更に請求項２に係る考案により取っ手部の両側辺を融着することにより、取っ手部の力が両側の融着部に係ることから、袋体の側辺のシール部に伝わることとなり、袋体の歪みを低減できるものとなる。
従ってカットスイカを入れた状態で取っ手部をもって袋体をもつことによっても袋体の歪みを低減できるものとなると共に袋体の外側の骨格を形成でき、袋体の強度を増すことができる。
従ってカットスイカの果肉への傷つきや、袋体の破損などを防止できる。
【００１７】
又請求項３に係る考案によっても、取っ手部を有する突出部の端辺部の融着により取っ手部自体の強度を増すことができると共に変形を低減することができることから前記と同様に袋体の変形に伴う弊害を低減できるものである。
又請求項４に係る考案により取っ手部の孔の周囲を融着するものであり、取っ手部の強度を高められることから取っ手部の変形を防止でき、袋体の変形の低減を図れる。
【００１８】
更に請求項５に係る考案により融着に代えて接着によって突出部のフィルム又はシート地の強度を高められるものであり、これによっても、袋体の強度を高く維持できるものであって、カットスイカの果肉部への傷付きを防止できると共に袋体の破損等の防止が図れるものである。
【図面の簡単な説明】
【００１９】
【図１】本考案に係るスイカ袋にカットスイカを入れた状態の一例を示す図
【図２】本考案に係るスイカ袋の一例を示す図
【図３】本考案に係るスイカ袋の開口部から袋体内にカットスイカを入れている状態の一例を示す図
【図４】本考案に係るスイカ袋の取っ手部を有する突出部の一例を示す図
【図５】本考案に係るスイカ袋の取っ手部を有する突出部の他の一例を示す図
【考案を実施するための形態】
【００２０】
図１は、本考案に係るスイカ袋の一例を示した図である。
本考案に係るスイカ袋にカットスイカＷを入れた状態の図であり、カットスイカは袋体内に収納されており、係る袋の上部には提げ手５を有している。
この袋は表裏２枚の透明または半透明のフィルム或いはシート地を基調として、袋の側部である側辺部分はシール部１ａ、２ａ、３ａを有して幅広状にフィルムを融着している。
【００２１】
この場合取っ手部５に続く胴部であって表裏二枚のフィルム或いはシート地を有し、更にこの胴部に続く底部も同様に表裏二枚のフィルム或いはシート地からなる。
この場合底部の底面部に一枚のフィルム或いはシートを有し、このフィルム又はシートには更に２枚目にあたるフィルム或いはシート地を用いて表裏のフィルム或いはシートとなり、胴部から二又にそれぞれ底面部を有する表裏二枚のフィルム或いはシート地からなる底部を有する。
【００２２】
従って胴部の突出部１１から底部にかけて胴部の左右方向にそれぞれ側部を融着した底部突出部２１、３１を有するものであり、胴部と底部と計三方向に突出部が形成されており、略三つ又状に形成されている。
この場合胴部のフィルム或いはシート地の先端部分には取っ手部５を有している。
この取っ手部５によりこの袋体にカットスイカを入れた状態で持ち運びができる。
【００２３】
この取っ手部５に関してはこの取っ手部５周囲を表裏二枚のフィルム或いはシート地を接着部材による接着又は加熱又は加圧による融着によってシール部を形成し、任意位置に取っ手部用の孔を有している一例を本図では示す。
本図では熱圧着により融着している例を示すが、これに限らず、高周波シールでも接着部材を用いて接着したものでもよい。
少なくとも取っ手部５の周囲を含む一定幅がシールされて融着されており、突出部１１である取っ手部周囲の強化が図られている。
【００２４】
尚、本図は取っ手部５の上部の端辺部から両側部に亘るシール部を形成しており、薄手の樹脂製の袋体ながらこのシール部を形成することにより袋体の型崩れが防止できるばかりでなく一定の重量のあるカットスイカＷを封入してもしっかりしスイカを保持できるものとなる。
従って例えばこの取っ手部５を有する突出部１１は一のフィルム又はシート地を山折りしてこれにより表裏のフィルム或いはシートとして構成しても、或いは２枚のフィルム又はシート地を用いて構成するものであってもよい。
【００２５】
更に三つ又状の他の二つある突出部２１、３１の内の一方の底部突出部３１は２枚の表裏のフィルム又はシートからなり、その端辺部３２においては山折りに折り込んで形成しているものであり、底部突出部３１の底を形成する端辺部３２となるフィルム又はシートであって、袋体によって形成する空洞の底を形成するものである。
更に二又に形成した他の一の底部突出部２１は表裏２枚のフィルム又はシートからなるがその端辺部には開口２２を有している。
この部分からスイカＷを袋内に入れるものとなる。
【００２６】
本図においてはカットスイカＷを袋体内に収納した上で開口部２２を閉じている状態の一例を示している。
次にこの場合、この開口を有する突出した他の底部突出部は特にその底面部に位置するフィルム又はシート地２１１が、この面に添わせたもう一枚のフィルム又はシート地２１０より長く形成してあるものである。
従ってこの底部突出部２１には開口２２を有するがこの長く形成されているフィルム又はシート地２１１を折り込んで開口２２を封鎖した状態を示している。
【００２７】
これはその底面部の長く形成しているフィルム又はシート地２１１の内側面の端辺部に接着部材２５が該端辺部とほぼ平行に貼着しており、該接着部材２５によって底部突出部２１の側面即ちカットスイカ袋の底部の側面に貼着することにより開口部２２を閉じたものである。
尚、この開口２２を有する突出部２１の表裏二枚のフィルム又はシート地２１０、２１１を異なる長さとして成形するものに限らず、同じ長さとするものであってもよい。
【００２８】
もとよりこの様に開口部分２２を折り込んで接着部材２５で封鎖することにより液漏れしない状態でかつ、しっかりとして封鎖は可能となる。
従ってこの場合、本図に示すようにこのような袋体内にカットスイカＷを入れてあり、カットスイカの稜線部を含む果肉部の多くは、該稜線部を取っ手方向にむけて袋内に収納しており、二又の底部２１、３１の底面部上にスイカの皮が位置して収納している。
【００２９】
従って胴部の空洞内にカットスイカの稜線部を取っ手５方向に向けて入れるものであり、更に該胴部に続く二又の底部である底面部となる突出部２１、３１がスイカの底方向を覆うこととなる。
これにより、袋体内にカットスイカを完全に収納できるものである。
【００３０】
この際には底部の開口２２部分からカットスイカを入れることができ、カットスイカは下部方向から簡単に袋体胴部内部に収納できるものであり、更に皮方向を下にして内部に収納できる。
特に底面部上に皮部分が位置することから余剰の部分である底部突出部２１を開口部２２を挟み込むようにして折り込んで底部突出部２１側面に該接着部材２５で接着すれば簡単に開口部２２の封鎖と共にカットスイカの収納を行えるものである。
【００３１】
この際特に果肉部分を不用意に押し込むことやシート地等にこすりつけるような行為は不要であり、果肉部を傷つけずにきれいな状態で収納できる。
更にはカットスイカの稜線部分の該先端部の尖った部分に位置する部分との接触も尖った方向を袋体に押し付ける必要はなく、袋体内の空洞の空洞内に入れればよく、スイカのみならず袋体自体を傷つける心配はなくなる。
【００３２】
更にこの様にカットスイカの底の皮が袋体内に入った状態で底面部に位置する長く形成したフィルム又はシートを有する底部突出部２１の突出辺部分を開口部２２を覆う状態で折り込んで該底部の表面と接着部材２５により貼着できることとなる。
従って底部の開口２２は、この長く形成した底面部突出部２１の突出形成している部分２１１に形成した接着部材２５により該底部を折り込んで開口部２２をふさいだ状態で封鎖できることとなる。
【００３３】
この様に形成するとカットスイカを例えば細い筒状内を押し込む等しなくとも、空間を有する胴部内に入れることができ、袋の開口のある底部の底部突出部２１を用いて封鎖することにより簡単かつスイカの果肉部に極力触れずに袋体内に封入できるものとなる。
特に底面部のフィルム又はシートによってスイカの底を覆いながら、該底部の開口部のある底部突出部２１を折り返して開口部２２を閉じた状態で更に接着部材２５を用いて該突出辺部の表面に接着して封鎖するものであり、開口部は閉じるものとなると共にその返しの部分が一定程度あれば少なくともシール部２ｂによって側辺を融着している部分も併せて折り込まれることとなり、内部にスイカの果汁等がたまってもこの折り返し部分によって封鎖され、こぼれにくい封鎖ができるものである。
【００３４】
本図に示す構成においてこの袋体の取っ手部５を有することにより簡単に持ち運びできるものであるが、この取っ手部５は図1に示す構成の他、例えばこの取っ手部５の孔の周縁部を含んで一定の幅でシールしてシール部を形成して融着部を構成して用いるものであってもよい。
或いは一定幅や範囲で取っ手部５の周囲を強度を有するシール部を形成して構成することにより取っ手部の所謂ヘッダー部を構成して周囲をきっちりと型崩れせずに構成してもよい。
【００３５】
従ってこの取っ手部５の周囲全体や一部を融着又は接着等により構成しても、或いは取っ手部５の周りや幅方向に任意位置にヘッダー部を構成して強度を確保するのでもよい。
更に取っ手部５から胴部の袋体方向であって幅方向に一定の幅を有するヘッダー部を設けるものであってもよい。
【００３６】
本図においては前記の通り、収納しているカットスイカの稜線部の上部方向に幅広のヘッダー部である端辺部から側辺部にわたり、取っ手部５を含む上部に幅広の帯状のシール部を有しており、袋体の型崩れ等を防いでいる。
尚、この取っ手部５を有する突出部に関しては、その端辺部を含め上部の表裏のフィルム又はシート地を融着や接着等することにより強度を増して形成している図を示すが、これに限らずこの取っ手部５に関しても、特段表裏のフィルム又はシート地を接着や融着等しないで開口状態のまま表裏のフィルム又はシート地を添わせて形成しているものであってもよい。
【００３７】
例えば袋体の側辺部だけシール部により融着しているものであってもよい。
又取っ手部５の孔の周囲のみをシート部として構成して表裏のフィルム又はシート地を融着等するものであってよい。
更にこの取っ手部は胴体の突出部の形成のための表裏のフィルム又はシート地を用いるものの他、別部材により取っ手部を有するヘッダー部のみからなるフィルム又はシート地からなる一定幅の取っ手部を構成し、この取っ手部の別部材からなる部分を一の突出部に融着して構成するものであってもよい。
例えば取っ手部をこの袋体自体に融着するものでもよい。
尚、取っ手部５の形状は一の楕円形状の孔により形成した例を示すが、これは一例であり、他の孔形状を有するものであってもよい。
【００３８】
更に本図においては取っ手部を含む周囲全体をシール部により形成し、更に若干間をおいて胴部にその側辺部から他端の側辺部にかけて袋体の開封用のテープ６を有する一例を示す。
この開封用のテープ６は例えば一側辺部方向に摘み部を有しており、この摘み部をもってテープを引くとテープと共に袋体のフィルム又はシート地が裂け、袋体の開口部が表出するものである。
これによって一旦密封した袋であっても簡単に開封でき、内容物を簡単に取り出せるものである。
【００３９】
尚、本説明上シール部等によるフィルム又はシート地の熱圧着や超音波シール等による融着することを説明するが、フィルム又はシート地を融着することに限らず接着部材による接着や溶着等によりシール部状に２つの部材例えば表裏フィルム又はシート地が密着して着くことによって強度が高まるものであれば融着に限定されるものではない。
例えば各種の接着部材によって表裏シート等がきっちりと密着して密封されるものであればよい。
【００４０】
図２は、図１に示すスイカ袋の袋自体を示す図である。
本考案に係るスイカ袋は、表裏二枚からなる袋であり、透明な或いは半透明の袋であって、収納する中身が透けて見えるようなフィルム又はシート地を用いて構成するものである。
カットスイカを袋内に入れた状態で店頭において展示し、そのまま手持ちにより購入でき、更には持ち帰れる。
本図は、カットスイカを入れない状態の本考案に係るスイカ袋の一例を明示する。
【００４１】
本図に示すように表裏からなる袋体をその側辺をシール加工１ａ、２ａ、３ａにより一定の幅の融着部を有して製袋しているものであり、突出部１１、２１、３１が三つ又に分かれている袋である。
即ち胴部と底部方向二方向の計三方向に突出形成されて三つ又状に形成されている。
この三つ又のうちの一方向の突出部２１は開口部２２を有する表裏フィルム又はシート地を用いて形成した袋部からなり、この突出部２１と両側辺部１ａ、２ａ、３ａで融着しているが内部は連通している他の二方向へ突出形成している所謂二又の表裏フィルム又はシート地を用いて形成した突出部１１、２１、３１からなる袋部を有している。
【００４２】
この場合、この二又部分の突出部３１は袋の奥即ち底部分である端辺部分３２はフィルム又はシート地の折り返し又はシールにより一定の幅の融着部を有して密封状態の封鎖している袋部分を有している。
この様に形成している二つの突出部のうちの一方の突出部１１の先端方向には取っ手部５を有しているものである。
この取っ手部５は、その周囲をシール部により構成しており、この突出部１１の先端部分全体がフィルム又はシートによって融着して形成されている。
この部分に取っ手部５の孔を有する。
【００４３】
従って、この取っ手部周囲は強度が高められており、重量のあるスイカを薄手のフィルム又はシート地で構成している袋に入れて手持ちしても型崩れしにくく、又袋体の一部にスイカの重さが掛かりすぎて破損してしまう等の弊害を防止できる。
尚、例えばこの様なシール状に形成するのに限らず、両側辺部分と必要に応じての端辺部シールを行うことにより袋体の骨格部分の強度を高めて型崩れと共に袋の破損を防止しているものであってもよい。
【００４４】
又取っ手の周囲に取っ手の孔を補強するための取っ手の孔の周囲にシール部を設けるものであってもよい。
これらのシール部により取っ手部の周囲の表裏二枚のフィルム又はシート地は、シールされて融着されており、或いは接着により接着されてシール部を形成している。
【００４５】
従って開口部２２を有する突出部２１から更に二又に分かれた袋体、いわゆる三つ又状に分かれた突出部を有する内部が連通している袋であり、この更に二又に分かれた突出部のうちの一方の突出部の先端には取っ手部５を有しており、他の一の突出部は密封状態の封鎖している袋部分を有している。
尚、この取っ手を有する部分は、この袋体を下げる手提げ部５としてなることから、該取っ手部が三つ又状の三つの突出部１１、２１、３１を有する中でこの取っ手部５を有する突出部２１が上部に位置するものである。
【００４６】
次に、この三つ又状に分かれている内部が連通している袋体の突出部１１、２１、３１はそれぞれが同じ長さとしてもよいと共にそれぞれ異なる長さを有するものであっても、いずれか一のみ長いものであってもよい。
例えば一例として取っ手を有する突出部の長さが若干長い突出部の長さを有するものであってもよい。
【００４７】
図３は、本考案に係る袋の開口部から袋体内にカットスイカＷをその開口部から入れて、袋体の空洞内を通ってカットスイカの稜線部分を取っ手方向に向けて入れると共に袋体の胴部内にカットスイカを収納している状態を示す図である。
この場合開口部はまだ折り込み又は丸め込む前の状態の図である。
更にこのカットスイカの皮は底方向に向いている。
【００４８】
即ち取っ手部をもって持ち運ぶことを前提としており、この取っ手部を持つことによりカットスイカの稜線部は取っ手方向を向き、皮が袋の底方向を向くものである。
特にスイカの収納形態として取っ手方向にカットスイカの稜線部が位置しそれから皮に向かって徐々に厚みを増すカットスイカはその三つ又状にそれぞれ突出部１１、２１、３１を形成して内部に大きな空洞を有するこの三つ又部分近傍にカットスイカの最も幅のあるかを近傍が位置することから、袋体内にカットスイカがきっちりと収まる共にカットスイカの果肉部分を傷つけずに収納できるものとなる。
【００４９】
本図の後、開口を有する底部突出部２１１を開口部２２が塞ぐように折り込み又は丸め込んで、更にその底面部に位置するフィルム又はシートの内側面の端辺部の接着部材２５を用いて、底部突出部の側面に貼着することにより開口部２２を閉じる。
尚、閉じた状態を図１で示している。
【００５０】
図４は、突出部１１の取っ手部５の周囲のシール状態の一例を示す図である。
例えばこの取っ手部５に関しては一のフィルム又はシート地を山折りに折り込んで端部を形成し、該表裏に当たる該折り込んだフィルム又はシート地の両側７ａを熱圧着等によりシール部１ａと融着させた一例である。
この様に両側を融着することにより強度を増した状態で袋体の取っ手部５周囲を構成できる。
【００５１】
更に取っ手部５から更に袋体の胴部方向に端部と水平に一定幅のシール部７ｂを有する。
従って、側辺と取っ手部と引収納物を収納すべき収納部分との間に幅のあるシール部7ｂを一側辺から対向する他の側辺にまで形成する。
このシール部７ａ、７ｂによって強固な取っ手部の周囲を有する突出部１１を形成し袋体の型崩れ防止と共にカットスイカの重さにより特定個所に力が掛かって袋が破れ等することを防止できる。
【００５２】
尚、例えば取っ手部を別部材で形成し、この取っ手部を袋体の端部に融着して例えば図１や図４のように形成するものであってもよい。
これによってもこの取っ手部と袋体とをシール部等によって融着することによってきっちりとして取っ手部を形成できることから、この様な構成をとるものであってもよい。
【００５３】
図５は、袋体の突出部１１の取っ手部５に関して両側７ａと端部７ｃと端部と水平に一定幅のシール部７ｂにそれぞれシール部を形成してきっちりとした骨格を形成し、強度を更に高くし型崩れを防止し、カットスイカの重さに伴う、袋体の変形に伴う袋体の破れ等をより効率的に防止できる。
更に本図においては取っ手部５の周囲にもシール部５ａを形成し、取っ手部の孔自体が袋体の重みで変形してしまうことを防止するために孔の強度を増すものである。
【００５４】
従ってこの様に形成するものであってもよい。
尚、袋に封入したカットスイカを袋体内に入れた状態で持ち運ぶ際に不用意に袋体が変形などするとカットスイカの重さが例えば果肉部分等の場所に掛かってしまいかねない。
従って袋体は変形させずに初期の形状でしっかりとカットスイカを保持することが必要である。
係るために袋体の各側辺をシール加工によって強度を高めることはこの袋体の変形を防止できる点で極めて有用である。
【００５５】
特に取っ手部に関してはこの部分に全てのカットスイカの自重が掛かってくることから、この部分の形状をきっちり保つことも袋体の型崩れ防止には必要である。
従って本考案は、袋体内のカットスイカの傷つきを防止する上では極めて有用である。
【符号の説明】
【００５６】
１１  突出部
１ａ  突出部のシール部
２ａ  突出部のシール部
３ａ  突出部のシール部
２１  突出部
２１１  フィルム又はシート地
２１０  フィルム又はシート地
２２  開口部
２５  接着部材
３１  突出部
３２  端辺部
５    取っ手部
５ａ  シール部
６    開封用テープ
７ａ  シール部
７ｂ  シール部
７ｃ  シール部
【図１】
0003197785.tif 000003
【図２】
0003197785.tif 000004
【図３】
0003197785.tif 000005
【図４】
0003197785.tif 000006
【図５】
0003197785.tif 000007